(57)【特許請求の範囲】
【請求項１】
サムネイル画像を選択可能に表示する処理を行う手段と、サムネイル画像の選択を受け付ける選択受付手段と、該選択受付手段が選択を受け付けた場合、選択に係るサムネイル画像を拡大表示する処理を行う手段とを備える表示処理装置において、
サムネイル画像が裏返って情報が配置してある裏面が表示されるようにサムネイル画像の回転を表した動的データを記憶する記憶手段と、
前記選択受付手段が選択を受け付けてから拡大表示する処理を行うまでの間、選択に係るサムネイル画像が回転して裏面を表示するように前記動的データの表示処理を行う手段と
を備えることを特徴とする表示処理装置。
【請求項２】
サムネイル画像を選択可能に表示する処理を行う手段と、サムネイル画像の選択を受け付ける選択受付手段と、該選択受付手段が選択を受け付けた場合、選択に係るサムネイル画像を拡大表示する処理を行う手段とを備える表示処理装置において、
サムネイル画像が裏返って裏面が表示されるようにサムネイル画像の回転を表した動的データ及び情報を記憶する記憶手段と、
前記選択受付手段が選択を受け付けてから拡大表示する処理を行うまでの間、選択に係るサムネイル画像が回転して裏面を表示するように前記動的データの表示処理を行う手段と、
前記動的データの表示処理により表示される裏面に前記情報を配置する手段と
を備えることを特徴とする表示処理装置。
【請求項３】
画像表示が可能な外部端末にネットワーク経由で接続する手段と、外部端末でサムネイル画像を選択可能に表示させる処理を行う手段と、サムネイル画像の選択信号を外部端末から受信した場合、選択に係るサムネイル画像を外部端末で拡大表示させる処理を行う手段とを備える表示処理装置において、
サムネイル画像が裏返って情報が配置してある裏面が表示されるようにサムネイル画像の回転を表した動的データを記憶する記憶手段と、
サムネイル画像の選択信号を受信してから拡大表示させる処理を行うまでの間、選択に係るサムネイル画像が回転して裏面が表示されるように前記動的データを外部端末へ送信する手段と
を備えることを特徴とする表示処理装置。
【請求項４】
画像表示が可能な外部端末にネットワーク経由で接続する手段と、外部端末でサムネイル画像を選択可能に表示させる処理を行う手段と、サムネイル画像の選択信号を外部端末から受信した場合、選択に係るサムネイル画像を外部端末で拡大表示させる処理を行う手段とを備える表示処理装置において、
サムネイル画像が裏返って裏面が表示されるようにサムネイル画像の回転を表した動的データ及び情報を記憶する記憶手段と、
サムネイル画像の選択信号を受信してから拡大表示させる処理を行うまでの間、選択に係るサムネイル画像が回転して裏面が表示されるように前記動的データを外部端末へ送信する手段と、
前記動的データの送信により外部端末で表示される裏面に前記情報が配置されるように前記情報を外部端末へ送信する手段と
を備えることを特徴とする表示処理装置。
【請求項５】
前記動的データは、サムネイル画像の裏面を複数回表示するように複数回のサムネイル画像の回転が表してある請求項１乃至請求項４のいずれか１つに記載の表示処理装置。
【請求項６】
前記動的データは、サムネイル画像の裏面を複数回表示するように複数回のサムネイル画像の回転が表してあると共に、表示される裏面ごとに相異する情報が配置してある請求項１又は請求項３に記載の表示処理装置。
【請求項７】
前記記憶手段は、複数の情報を記憶しており、
前記動的データは、サムネイル画像の裏面を複数回表示するように複数回のサムネイル画像の回転が表してあり、
表示される裏面ごとに相異する情報を配置するようにしてある請求項２又は請求項４に記載の表示処理装置。
【請求項８】
前記動的データは、サムネイル画像の裏面が表示された状態で回転が一時停止するようにしてある請求項１乃至請求項７のいずれか１つに記載の表示処理装置。
【請求項９】
前記動的データは、サムネイル画像の裏面の表示される割合が大きくなるにつれて、回転速度が減速するようにしてある請求項１乃至請求項８のいずれか１つに記載の表示処理装置。
【請求項１０】
前記情報は、広告である請求項１乃至請求項９のいずれか１つに記載の表示処理装置。
【請求項１１】
表示処理装置がサムネイル画像を選択可能に表示する処理を行い、サムネイル画像の選択を受け付けた場合に、選択に係るサムネイル画像を拡大表示する処理を行う表示処理方法において、
前記表示処理装置は、サムネイル画像が裏返って情報が配置してある裏面が表示されるようにサムネイル画像の回転を表した動的データを記憶し、
サムネイル画像の選択を受け付けた場合、選択に係るサムネイル画像が回転して裏面が表示されるように前記動的データの表示処理を行い、
前記動的データの表示処理を行ってからサムネイル画像を拡大表示する処理を行うことを特徴とする表示処理方法。
【請求項１２】
表示処理装置がサムネイル画像を選択可能に表示する処理を行い、サムネイル画像の選択を受け付けた場合に、選択に係るサムネイル画像を拡大表示する処理を行う表示処理方法において、
前記表示処理装置は、サムネイル画像が裏返って裏面が表示されるようにサムネイル画像の回転を表した動的データ及び情報を記憶し、
サムネイル画像の選択を受け付けた場合、選択に係るサムネイル画像が回転して裏面が表示されるように前記動的データの表示処理を行い、
表示される裏面に前記情報を配置してからサムネイル画像を拡大表示する処理を行うことを特徴とする表示処理方法。
【請求項１３】
画像表示が可能な外部端末にネットワーク経由で接続される表示処理装置が、外部端末でサムネイル画像を選択可能に表示させる処理を行い、外部端末からサムネイル画像の選択信号を受信した場合、選択に係るサムネイル画像を外部端末で拡大表示させる処理を行う表示処理方法において、
前記表示処理装置は、サムネイル画像が裏返って情報が配置してある裏面が表示されるようにサムネイル画像の回転を表した動的データを記憶し、
サムネイル画像の選択信号を受信した場合、選択に係るサムネイル画像が回転して裏面が表示されるように前記動的データを外部端末へ送信し、
前記動的データの送信により外部端末で裏面が表示されてからサムネイル画像を拡大表示させる処理を行うことを特徴とする表示処理方法。
【請求項１４】
画像表示が可能な外部端末にネットワーク経由で接続される表示処理装置が、外部端末でサムネイル画像を選択可能に表示させる処理を行い、外部端末からサムネイル画像の選択信号を受信した場合、選択に係るサムネイル画像を外部端末で拡大表示させる処理を行う表示処理方法において、
前記表示処理装置は、サムネイル画像が裏返って裏面が外部端末で表示されるようにサムネイル画像の回転を表した動的データ及び情報を記憶し、
サムネイル画像の選択信号を受信した場合、選択に係るサムネイル画像が回転して裏面が表示されるように前記動的データを外部端末へ送信し、
前記動的データの送信により外部端末で表示される裏面に前記情報が配置されるように前記情報を送信し、
前記情報を送信してからサムネイル画像を拡大表示させる処理を行うことを特徴とする表示処理方法。
【請求項１５】
コンピュータに、サムネイル画像を選択可能に表示する処理を行わせて、サムネイル画像の選択を受け付けた場合、選択に係るサムネイル画像を拡大表示する処理を行わせるためのコンピュータプログラムにおいて、
サムネイル画像が裏返って情報が配置してある裏面が表示されるようにサムネイル画像の回転を表した動的データを記憶させるコンピュータを、
サムネイル画像の選択を受け付けてから拡大表示する処理を行うまでの間、選択に係るサムネイル画像が回転して裏面を表示するように前記動的データの表示処理を行う手段として機能させることを特徴とするコンピュータプログラム。
【請求項１６】
コンピュータに、サムネイル画像を選択可能に表示する処理を行わせて、サムネイル画像の選択を受け付けた場合、選択に係るサムネイル画像を拡大表示する処理を行わせるためのコンピュータプログラムにおいて、
サムネイル画像が裏返って裏面が表示されるようにサムネイル画像の回転を表した動的データ及び情報を記憶させるコンピュータを、
サムネイル画像の選択を受け付けてから拡大表示する処理を行うまでの間、選択に係るサムネイル画像が回転して裏面を表示するように前記動的データの表示処理を行う手段と、
前記動的データの表示処理により表示される裏面に前記情報を配置する手段として機能させることを特徴とするコンピュータプログラム。
【請求項１７】
画像表示が可能な外部端末にネットワーク経由で接続可能なコンピュータに、外部端末でサムネイル画像を選択可能に表示させる処理を行い、サムネイル画像の選択信号を外部端末から受信した場合、選択に係るサムネイル画像を外部端末で拡大表示させる処理を行わせるためのコンピュータプログラムにおいて、
サムネイル画像が裏返って情報が配置してある裏面が表示されるようにサムネイル画像の回転を表した動的データを記憶させるコンピュータを、
サムネイル画像の選択信号を受信してから拡大表示させる処理を行うまでの間、選択に係るサムネイル画像が回転して裏面が表示されるように前記動的データを外部端末へ送信する手段として機能させることを特徴とするコンピュータプログラム。
【請求項１８】
画像表示が可能な外部端末にネットワーク経由で接続可能なコンピュータに、外部端末でサムネイル画像を選択可能に表示させる処理を行い、サムネイル画像の選択信号を外部端末から受信した場合、選択に係るサムネイル画像を外部端末で拡大表示させる処理を行わせるためのコンピュータプログラムにおいて、
サムネイル画像が裏返って裏面が表示されるようにサムネイル画像の回転を表した動的データ及び情報を記憶させるコンピュータを、
サムネイル画像の選択信号を受信してから拡大表示させる処理を行うまでの間、選択に係るサムネイル画像が回転して裏面が表示されるように前記動的データを外部端末へ送信する手段と、
前記動的データの送信により外部端末で表示される裏面に前記情報が配置されるように前記情報を外部端末へ送信する手段として機能させることを特徴とするコンピュータプログラム。
【発明の詳細な説明】
【技術分野】
【０００１】
本発明は、サムネイル画像が拡大表示されるまでの間、サムネイル画像を回転表示させることで、ユーザの目を惹き付ける新たな情報配置スペースを確保した表示処理装置、表示処理方法、及びコンピュータプログラムに関する。
【背景技術】
【０００２】
従来、複数のサムネイル画像を選択可能に並べて表示すると共に、選択されたサムネイル画像を拡大表示する処理方式が様々な機器で使用されている。例えば、コンピュータ、ＰＤＡ（Personal Digital Assistant）、携帯電話機などの情報機器において、記憶される画像ファイルの一覧概略と拡大画像とを切り替えて表示する場合、デジタルカメラ及びデジタルビデオカメラ等の撮像装置が撮像した画像の一覧と拡大画像とを切り替えて表示する場合などで上述した表示処理方式が採用されている。また、インターネット上に開設されるウェブサイトにおいても、ウェブページに配置したサムネイル画像を端末側での選択操作に基づいて拡大表示するものが多々存在する。【０００３】
一方、サムネイル画像の拡大表示とは別に、複数の画像を重ねて表示する際、下側に位置する画像を容易に参照可能にするため、上側の画像をめくるような操作を行える表示の仕方が開示されている（特許文献１参照）。また、限られた表示面積でウェブページの有効利用を図ると共に広告効果を向上させるために、上位レイヤをクリックすると上位レイヤに応じた表示範囲が裏返り、下位レイヤの内容を閲覧できるようにした表示方法が開示されている（特許文献２参照）。【０００４】
さらに、セットトップボックス及びコンピュータなどで適用されるグラフィカル・ユーザ・インタフェース（GUI）において、操作部を設けたパネルを反転可能に表示すると共に、パネルの一側面と他側面では異なる内容の操作ボタン等を配置した技術が開示されている（特許文献３参照）。さらにまた、アイコンを用いた直感的な操作を可能にするためアイコンを選択すると、アイコンを拡大表示させながら表裏を反転し、反転拡大した裏面に別のアイコンを配置する情報処理装置が開示されている（特許文献４参照）。
【特許文献１】特開平６−２４２９１６号公報
【特許文献２】特開２００４−１５２０７４号公報
【特許文献３】特表２００５−５１５５３８号公報
【特許文献４】特開２００４−２１５２２号公報
【発明の開示】
【発明が解決しようとする課題】
【０００５】
表示されているサムネイル画像を拡大するには、ユーザは拡大したいサムネイル画像を選択する操作が必要となるため、自然と選択対象のサムネイル画像の表示箇所を注視することになる。しかし、従来においては、サムネイル画像を拡大表示する際、ユーザが注視している表示箇所には新たな情報配置スペースが存在しないため、表示画面中の一部分をユーザが注目していると云う状況が折角存在するのに、その状況を有効に活用して情報を表示する形態を提供できていない問題があった。【０００６】
この問題に関して、上述した特許文献１及び特許文献２に係る内容を用いても対応できない。即ち、特許文献１及び特許文献２においては、複数の画像（又はレイヤ）を重ねて表示するときに、上側の画像（又は上位レイヤ）を裏返して下側の画像（又は下位レイヤ）を表示する処理を行うに留まるので、サムネイル画像の拡大表示が全く関係しない。そのため、サムネイル画像の拡大表示に連動させて情報の表示形態に、特許文献１及び特許文献２に係る内容は適用できない。【０００７】
また、特許文献３に係る内容は、グラフィカル・ユーザ・インタフェースに関連したパネルの反転表示を行うものであるため、サムネイル画像の拡大表示に関連しないので、サムネイル画像の拡大表示の際に新たな情報配置スペースの確保することに利用できない。さらに、特許文献４に係る内容は、反転した裏面をそのまま拡大するため、サムネイル画像の表面に配置される画像内容を拡大表示する処理に利用すると、裏面を単に拡大して表示するだけとなり、画像のある表面が表示されなくなるので、特許文献４に係る内容も利用できない。【０００８】
本発明は、斯かる問題に鑑みてなされたものであり、サムネイル画像が選択されて拡大表示されるまでの間に、選択されたサムネイル画像を回転表示して裏面を表示し、その裏面を情報スペースとして用いることで、ユーザが注目している部分に様々な情報を表示できるようにした表示処理装置、表示処理方法、及びコンピュータプログラムを提供することを目的とする。
また、本発明はサムネイル画像の回転状況を適宜変更することで、サムネイル画像の裏面を見やすくして情報を容易に確認できるようにした表示処理装置、表示処理方法、及びコンピュータプログラムを提供することを目的とする。
さらに、本発明は複数回、サムネイル画像の裏面の表示回数を多くして情報をユーザに見せる機会を増加させた表示処理装置、表示処理方法、及びコンピュータプログラムを提供することを目的とする。
【課題を解決するための手段】
【０００９】
上記課題を解決するために本発明に係る表示処理装置は、サムネイル画像を選択可能に表示する処理を行う手段と、サムネイル画像の選択を受け付ける選択受付手段と、該選択受付手段が選択を受け付けた場合、選択に係るサムネイル画像を拡大表示する処理を行う手段とを備える表示処理装置において、サムネイル画像が裏返って情報が配置してある裏面が表示されるようにサムネイル画像の回転を表した動的データを記憶する記憶手段と、前記選択受付手段が選択を受け付けてから拡大表示する処理を行うまでの間、選択に係るサムネイル画像が回転して裏面を表示するように前記動的データの表示処理を行う手段とを備えることを特徴とする。【００１０】
また、本発明に係る表示処理装置は、サムネイル画像を選択可能に表示する処理を行う手段と、サムネイル画像の選択を受け付ける選択受付手段と、該選択受付手段が選択を受け付けた場合、選択に係るサムネイル画像を拡大表示する処理を行う手段とを備える表示処理装置において、サムネイル画像が裏返って裏面が表示されるようにサムネイル画像の回転を表した動的データ及び情報を記憶する記憶手段と、前記選択受付手段が選択を受け付けてから拡大表示する処理を行うまでの間、選択に係るサムネイル画像が回転して裏面を表示するように前記動的データの表示処理を行う手段と、前記動的データの表示処理により表示される裏面に前記情報を配置する手段とを備えることを特徴とする。【００１１】
さらに、本発明に係る表示処理装置は、画像表示が可能な外部端末にネットワーク経由で接続する手段と、外部端末でサムネイル画像を選択可能に表示させる処理を行う手段と、サムネイル画像の選択信号を外部端末から受信した場合、選択に係るサムネイル画像を外部端末で拡大表示させる処理を行う手段とを備える表示処理装置において、サムネイル画像が裏返って情報が配置してある裏面が表示されるようにサムネイル画像の回転を表した動的データを記憶する記憶手段と、サムネイル画像の選択信号を受信してから拡大表示させる処理を行うまでの間、選択に係るサムネイル画像が回転して裏面が表示されるように前記動的データを外部端末へ送信する手段とを備えることを特徴とする。【００１２】
さらにまた、本発明に係る表示処理装置は、画像表示が可能な外部端末にネットワーク経由で接続する手段と、外部端末でサムネイル画像を選択可能に表示させる処理を行う手段と、サムネイル画像の選択信号を外部端末から受信した場合、選択に係るサムネイル画像を外部端末で拡大表示させる処理を行う手段とを備える表示処理装置において、サムネイル画像が裏返って裏面が表示されるようにサムネイル画像の回転を表した動的データ及び情報を記憶する記憶手段と、サムネイル画像の選択信号を受信してから拡大表示させる処理を行うまでの間、選択に係るサムネイル画像が回転して裏面が表示されるように前記動的データを外部端末へ送信する手段と、前記動的データの送信により外部端末で表示される裏面に前記情報が配置されるように前記情報を外部端末へ送信する手段とを備えることを特徴とする。【００１３】
本発明に係る表示処理装置では、前記動的データは、サムネイル画像の裏面を複数回表示するように複数回のサムネイル画像の回転が表してあることを特徴とする。
また、本発明に係る表示処理装置では、前記動的データは、サムネイル画像の裏面を複数回表示するように複数回のサムネイル画像の回転が表してあると共に、表示される裏面ごとに相異する情報が配置してあることを特徴とする。
さらに、本発明に係る表示処理装置は、前記記憶手段は、複数の情報を記憶しており、前記動的データは、サムネイル画像の裏面を複数回表示するように複数回のサムネイル画像の回転が表してあり、表示される裏面ごとに相異する情報を配置するようにしてあることを特徴とする。【００１４】
また、本発明に係る表示処理装置では、前記動的データは、サムネイル画像の裏面が表示された状態で回転が一時停止するようにしてあることを特徴とする。
さらに、本発明に係る表示処理装置では、前記動的データは、サムネイル画像の裏面の表示される割合が大きくなるにつれて、回転速度が減速するようにしてあることを特徴とする。
さらにまた、本発明に係る表示処理装置では、前記情報は、広告であることを特徴とする。【００１５】
本発明に係る表示処理方法は、表示処理装置がサムネイル画像を選択可能に表示する処理を行い、サムネイル画像の選択を受け付けた場合に、選択に係るサムネイル画像を拡大表示する処理を行う表示処理方法において、前記表示処理装置は、サムネイル画像が裏返って情報が配置してある裏面が表示されるようにサムネイル画像の回転を表した動的データを記憶し、サムネイル画像の選択を受け付けた場合、選択に係るサムネイル画像が回転して裏面が表示されるように前記動的データの表示処理を行い、前記動的データの表示処理を行ってからサムネイル画像を拡大表示する処理を行うことを特徴とする。【００１６】
また、本発明に係る表示処理方法は、表示処理装置がサムネイル画像を選択可能に表示する処理を行い、サムネイル画像の選択を受け付けた場合に、選択に係るサムネイル画像を拡大表示する処理を行う表示処理方法において、前記表示処理装置は、サムネイル画像が裏返って裏面が表示されるようにサムネイル画像の回転を表した動的データ及び情報を記憶し、サムネイル画像の選択を受け付けた場合、選択に係るサムネイル画像が回転して裏面が表示されるように前記動的データの表示処理を行い、表示される裏面に前記情報を配置してからサムネイル画像を拡大表示する処理を行うことを特徴とする。【００１７】
さらに、本発明に係る表示処理方法は、画像表示が可能な外部端末にネットワーク経由で接続される表示処理装置が、外部端末でサムネイル画像を選択可能に表示させる処理を行い、外部端末からサムネイル画像の選択信号を受信した場合、選択に係るサムネイル画像を外部端末で拡大表示させる処理を行う表示処理方法において、前記表示処理装置は、サムネイル画像が裏返って情報が配置してある裏面が表示されるようにサムネイル画像の回転を表した動的データを記憶し、サムネイル画像の選択信号を受信した場合、選択に係るサムネイル画像が回転して裏面が表示されるように前記動的データを外部端末へ送信し、前記動的データの送信により外部端末で裏面が表示されてからサムネイル画像を拡大表示させる処理を行うことを特徴とする。【００１８】
さらにまた、本発明に係る表示処理方法は、画像表示が可能な外部端末にネットワーク経由で接続される表示処理装置が、外部端末でサムネイル画像を選択可能に表示させる処理を行い、外部端末からサムネイル画像の選択信号を受信した場合、選択に係るサムネイル画像を外部端末で拡大表示させる処理を行う表示処理方法において、前記表示処理装置は、サムネイル画像が裏返って裏面が外部端末で表示されるようにサムネイル画像の回転を表した動的データ及び情報を記憶し、サムネイル画像の選択信号を受信した場合、選択に係るサムネイル画像が回転して裏面が表示されるように前記動的データを外部端末へ送信し、前記動的データの送信により外部端末で表示される裏面に前記情報が配置されるように前記情報を送信し、前記情報を送信してからサムネイル画像を拡大表示させる処理を行うことを特徴とする。【００１９】
本発明に係るコンピュータプログラムは、コンピュータに、サムネイル画像を選択可能に表示する処理を行わせて、サムネイル画像の選択を受け付けた場合、選択に係るサムネイル画像を拡大表示する処理を行わせるためのコンピュータプログラムにおいて、サムネイル画像が裏返って情報が配置してある裏面が表示されるようにサムネイル画像の回転を表した動的データを記憶させるコンピュータを、サムネイル画像の選択を受け付けてから拡大表示する処理を行うまでの間、選択に係るサムネイル画像が回転して裏面を表示するように前記動的データの表示処理を行う手段として機能させることを特徴とする。【００２０】
また、本発明に係るコンピュータプログラムは、コンピュータに、サムネイル画像を選択可能に表示する処理を行わせて、サムネイル画像の選択を受け付けた場合、選択に係るサムネイル画像を拡大表示する処理を行わせるためのコンピュータプログラムにおいて、サムネイル画像が裏返って裏面が表示されるようにサムネイル画像の回転を表した動的データ及び情報を記憶させるコンピュータを、サムネイル画像の選択を受け付けてから拡大表示する処理を行うまでの間、選択に係るサムネイル画像が回転して裏面を表示するように前記動的データの表示処理を行う手段と、前記動的データの表示処理により表示される裏面に前記情報を配置する手段として機能させることを特徴とする。【００２１】
さらに、本発明に係るコンピュータプログラムは、画像表示が可能な外部端末にネットワーク経由で接続可能なコンピュータに、外部端末でサムネイル画像を選択可能に表示させる処理を行い、サムネイル画像の選択信号を外部端末から受信した場合、選択に係るサムネイル画像を外部端末で拡大表示させる処理を行わせるためのコンピュータプログラムにおいて、サムネイル画像が裏返って情報が配置してある裏面が表示されるようにサムネイル画像の回転を表した動的データを記憶させるコンピュータを、サムネイル画像の選択信号を受信してから拡大表示させる処理を行うまでの間、選択に係るサムネイル画像が回転して裏面が表示されるように前記動的データを外部端末へ送信する手段として機能させることを特徴とする。【００２２】
さらにまた、本発明に係るコンピュータプログラムは、画像表示が可能な外部端末にネットワーク経由で接続可能なコンピュータに、外部端末でサムネイル画像を選択可能に表示させる処理を行い、サムネイル画像の選択信号を外部端末から受信した場合、選択に係るサムネイル画像を外部端末で拡大表示させる処理を行わせるためのコンピュータプログラムにおいて、サムネイル画像が裏返って裏面が表示されるようにサムネイル画像の回転を表した動的データ及び情報を記憶させるコンピュータを、サムネイル画像の選択信号を受信してから拡大表示させる処理を行うまでの間、選択に係るサムネイル画像が回転して裏面が表示されるように前記動的データを外部端末へ送信する手段と、前記動的データの送信により外部端末で表示される裏面に前記情報が配置されるように前記情報を外部端末へ送信する手段として機能させることを特徴とする。【００２３】
本発明のスタンドアロン的に用いられる表示処理装置、表示処理方法、及びコンピュータプログラムでは、サムネイル画像の選択を受け付けてからサムネイル画像を拡大表示するまでの間、サムネイル画像が裏返って情報が配置してある裏面が表示されるように作り込んだ動的データの表示処理を行うので、ユーザが注目している部分に情報が表れるようになり、表れた情報が自然とユーザの目に入り、情報をユーザへスムーズに伝えることが可能になる。しかも、人間の目は動く対象を注視する特性を有するため、サムネイル画像の回転表示によりユーザの視線が惹き付けられる状態となるため、単に情報を配置するだけに比べて、表示する情報の注目度を高められる。【００２４】
なお、本発明におけるサムネイル画像の内容としては、撮像された静止画、作成されたイラスト画、動画中の一画面の画像など、あらゆる種類の画像を含む（以下同様）。またサムネイル画像の裏面に配置される情報としては、文字、記号、数字、模様、あらゆる種類の画像（静止画、動画の両方含む）、及びそれらを組み合わせたものなどが該当する（以下同様）。【００２５】
本発明のスタンドアロン的に用いられる表示処理装置、表示処理方法、及びコンピュータプログラムでは、サムネイル画像の選択を受け付けてからサムネイル画像を拡大表示するまでの間、サムネイル画像が裏返って裏面が表示されるように作り込んだ動的データの表示処理を行うと共に、表示された裏面に情報を配置するので、新たな情報配置スペースが設けられて、ユーザの視線が惹き付けられた状態で情報が表れるため、情報の内容がユーザに受け入れやすくなる。さらに、情報を裏面に配置する処理を行うので、配置すべき情報の種類を複数準備しておけば、同一の動的データに対して配置する情報を適宜切り替えられるため、本発明は、表示すべき情報を頻繁に切り替える必要がある場合に好適となる。【００２６】
また、ネットワークシステムでサーバ的に使用される本発明の表示処理装置、表示処理方法、及びコンピュータプログラムも、スタンドアロン的な場合と同様に、サムネイル画像が裏返って情報が配置してある裏面が端末側で表示されるように作り込んだ動的データの送信をサムネイル画像を拡大表示するまでの間に行うので、端末を閲覧するユーザに対して、短時間であるにも拘わらず、ユーザへのアピール度を高めた状態で情報を提供できる。【００２７】
さらに、ネットワークシステムでサーバ的に使用される本発明の表示処理装置、表示処理方法、及びコンピュータプログラムも、スタンドアロン的な場合と同様に、端末側でサムネイル画像を拡大表示するまでの間に、サムネイル画像が裏返って裏面が表示されるように動的データを送信すると共に、表示される裏面に情報が配置されるように情報を送信するため、端末のユーザが注目する部分に情報を表示できる。しかも、表示する情報は送信する内容を変更するだけで容易に切り替えることができ、時間帯、ウェブサイトを閲覧するユーザの年代等に応じて表示すべき情報を容易に変更可能となる。【００２８】
また、本発明では、裏面が複数回表示されるように作り込まれた動的データを用いるので、裏面に配置される情報をユーザが見る回数を増加でき、ユーザへの情報のアピール度を高められると共に、ユーザが何度も情報内容を確認できるようになる。
さらに、本発明にあっては、複数回、裏面を表示する場合は、裏面が表示されるごとに相異する情報が表示されるように作り込まれた動的データを用いるので、一度の拡大表示を行う際に複数種類の情報をユーザに提示できるようになる。例えば、コマ送り的に形状が少しずつことなる図を情報として配置し、複数回の回転表示を行えば、パラパラマンガのような疑似動画をユーザに見せることができ、また、ある程度の文字数がある文字情報を複数回に分割してユーザに提示することも可能になる。
さらにまた、本発明にあっては、複数回、裏面を表示する場合、裏面が表示されるごとに相異する情報が配置されるように処理を行うので、同一の動的データを用いても多様な情報表示が可能となり、一度の拡大表示で複数種類の情報をユーザに提示できる。【００２９】
また、本発明では、サムネイル画像を回転させてからサムネイル画像の裏面が表示された状態で回転を一時停止するように作り込んだ動的データを用いるので、裏面をできるだけ長くユーザに見せることが可能となる。その結果、情報の表示時間が長くなり、回転表示を行ってもサムネイル画像の裏面に配置した情報を確認しやすくなる。なお、裏面を最もユーザに見せやすくするためには、サムネイル画像の表面を表示した状態から丁度、半回転した状態で回転を一時停止することが好適である。【００３０】
さらに、本発明にあっては、サムネイル画像の裏面の表示される割合が大きくなるにつれて、回転表示に係る回転速度を減速させるように作り込んだ動的データを用いるので、ユーザが裏面を見ることができる時間が長くなって情報も確認しやすくなる。よって、サムネイル画像の回転表示を行っても、ユーザは情報を一段と容易に見ることができる。【００３１】
さらに、本発明にあっては、情報を広告にするので、サムネイル画像の裏面を新たな広告スペースとして活用できるようになる。即ち、ユーザの選択対象になるため元々、ユーザの注目度が高いサムネイル画像の表示部分において、サムネイル画像を回転させると云う動きを加えるため、サムネイル画像の裏面が表示されるときはユーザの注意を十分に惹き付けた状態になっており、そのような状態で裏面に配置した広告を表示するので、サムネイル画像が拡大表示されるまでの短い時間であってもユーザに対する広告の訴求度が高くなる。そのため、特に、サムネイル画像を配置したウェブサイトにおいて、サムネイル画像の裏面を新たな広告スペースに利用でき、ユーザがサムネイル画像を選択した場合にだけ広告をユーザに見せると云うウェブサイト（ウェブページ）における新たな広告表示方法として用いることが可能になる。
【発明の効果】
【００３２】
本発明にあっては、スタンドアロン的に用いられる表示処理装置、表示処理方法、及びコンピュータプログラムにおいて、サムネイル画像を拡大表示する際にサムネイル画像を回転させて情報が配置される裏面を表示するため、表示される裏面をユーザの注目度が高い部分にできると共に、ユーザの注目を高めた場所に情報を配置して限られた時間でユーザへ確実に情報を見せられる状況を提供できる。
また、本発明にあっては、サーバ的に使用される表示処理装置、表示処理方法、及びコンピュータプログラムでも同様に、外部端末でサムネイル画像を拡大表示させる際にサムネイル画像を回転させて情報が配置される裏面を表示させる処理を行うので、ウェブサイトでのサムネイル画像の拡大時に情報を配置した裏面へユーザを注目させることができ、ユーザへの情報の訴求度を高められる。
さらに、本発明にあっては、配置する情報を動的データと別にした場合は、サムネイル画像の裏面に配置する情報を容易に変更できる。【００３３】
また、本発明にあっては、複数回の回転表示を行うので、裏面に配置された情報をユーザが複数回確認でき、情報のアピール度を高められる。
さらに、本発明にあっては、裏面が表示されるごとに相異する情報をユーザが見ることができるので、複数種類の情報をユーザに提示できると共に、パラパラ漫画的な情報表示形態も実現できる。【００３４】
また、本発明にあっては、サムネイル画像の裏面が表示された状態で回転を一時停止するので、裏面をできるだけ長くユーザに見せることができる。
さらに、本発明にあっては、サムネイル画像の裏面の表示される割合が大きくなるにつれて、回転表示に係る回転速度を減速させるので、回転表示を行ってもユーザは情報を容易に見ることができる。
さらにまた、本発明にあっては、表示する情報を広告にするので、ユーザの注目度が高い表示部分であるサムネイル画像の裏面を新たな広告スペースとして活用できる。
【図面の簡単な説明】
【００３５】
【図１】本発明の第１実施形態に係るネットワークシステムの全体的な構成を示す概略図である。
【図２】端末装置の内部構成を示すブロック図である。
【図３】サーバ装置の内部構成を示すブロック図である。
【図４】端末装置で表示された複数のサムネイル画像を配置したウェブページ示す概略図である。
【図５】（ａ）〜（ｃ）は、サムネイル画像が表面を表示した状態から回転する状態を順次示した概略図である。
【図６】（ａ）〜（ｃ）は、サムネイル画像が回転して裏面が表れてから完全に裏返る状態までを順次示した概略図である。
【図７】選択されたサムネイル画像が裏返って広告を表示した状態になっているウェブページを示す概略図である。
【図８】サムネイル画像の拡大画像を含むサブウェブページを示す概略図である。
【図９】第１実施形態の表示処理方法に係る処理手順を示す第１フローチャートである。
【図１０】（ａ）は、裏面が表れてから回転速度を減速させる状態を示すグラフ、（ｂ）は複数回回転させる場合で回転速度を減速させる状態を示すグラフである。
【図１１】本発明の第２実施形態に係るサーバ装置の内部構成を示すブロック図である。
【図１２】（ａ）〜（ｃ）はサムネイル画像が回転して裏面が表れる状態を順次示した概略図、（ｄ）は裏面に広告を配置した状態を示す概略図である。
【図１３】広告配置メニューを示す概略図である。
【図１４】第２実施形態の表示処理方法に係る処理手順を示す第２フローチャートである。
【図１５】第２実施形態の変形例の広告配置メニューを示す概略図である。
【図１６】（ａ）は本発明の第３実施形態に係る表示処理装置の外観図、（ｂ）は表面を表示したサムネイル画像の概略図、（ｃ）はサムネイル画像が回転して広告を配置した裏面を表示した概略図である。
【図１７】第３実施形態の表示処理装置の内部構成を示すブロック図である。
【図１８】第３実施形態の表示処理方法に係る処理手順を示す第３フローチャートである。
【図１９】第４実施形態の表示処理装置の内部構成を示すブロック図である。
【図２０】第４実施形態の表示処理方法に係る処理手順を示す第４フローチャートである。
【符号の説明】
【００３６】
１  ネットワークシステム
２  端末装置
１０  サーバ装置
１１  ＣＰＵ
１５  ハードディスク装置
１７  表示処理プログラム
２０  ページデータ
２１  サムネイル画像データ
２２  動的データ
２３  サブページデータ
２４  拡大画像データ
２７ｃ  拡大画像
３０〜４１  サムネイル画像
３０ａ  表面
３０ｄ  裏面
３０ｅ  広告
ＮＷ  ネットワーク
【発明を実施するための最良の形態】
【００３７】
図１は、本発明の第１実施形態に係る表示処理装置を含むネットワークシステム１の全体的な構成を示している。本実施形態のネットワークシステム１は、サーバ装置１０（表示処理装置に相当）が、インターネットのようなネットワークＮＷ上で複数の画像を配置したウェブサイトを開設し、そのウェブサイトにアクセスした端末装置２でウェブサイトのウェブページを表示させるものである。特に第１実施形態では、図４に示すような複数のサムネイル画像を選択可能に配置したウェブページ２５を端末装置２で表示させると共に、選択されたサムネイル画像を図５、６に示すように回転表示させてから図８に示すように拡大表示する処理を行うことを特徴にしている。なお、本実施形態ではサーバ装置１０にはサーバコンピュータを用いており、端末装置２には汎用のコンピュータを用いており、端末本体３（コンピュータ本体）にモニタ４、キーボード５及びマウス６を接続している。【００３８】
図２は、端末装置２に係る端末本体３の主要な内部構成を示している。端末本体３は、各種制御処理を行うＣＰＵ３ａに、通信インタフェース３ｂ、ＲＡＭ３ｃ、ＲＯＭ３ｄ、モニタ用インタフェース３ｆ、操作接続部３ｇ、音声出力インタフェース３ｈ、及びハードディスク装置３ｉを内部バス３ｊで接続している。【００３９】
通信インタフェース３ｂは、外部のネットワークＮＷと接続されて所定の通信先とデータの送受を行う。ＲＡＭ３ｃはＣＰＵ３ａの処理に従うデータ及びフォルダ等を一時的に記憶し、ＲＯＭ３ｄはＣＰＵ３ａが行う基本的な処理内容を規定したプログラム等を予め記憶する。モニタ用インタフェース３ｆはモニタ４と接続されて、モニタ４の画面４ａに表示すべきデータを送る処理を行って画像等をモニタ４に表示させる。操作接続部３ｇはユーザからの操作指示を受け付けるキーボード５及びマウス６と接続されて、キーボード５及びマウス６が受け付けた操作指示を内部バス３ｊを通じてＣＰＵ３ａへ伝える。音声出力インタフェース３ｈは、端末本体３の筐体内に設けられたスピーカ７と接続されており、音声をスピーカ７から出力する処理を行う。【００４０】
ハードディスク装置３ｉは、各種プログラムを作動させる上でのベースになるＯＳプログラム８ａ、ウェブサイト（ウェブページ）を閲覧できるよう通信インタフェースで受信するデータの内容をモニタ４で表示させるための処理を行う閲覧プログラム８ｂ、及び閲覧プログラム８ｂの表示処理と連係して動的データを再生表示する処理を規定した表示再生プログラム８ｃを記憶している。なお、動的データは、表示中のウェブサイトに関連してネットワーク経由で受信可能となっており、このような動的データの再生を行う表示再生プログラム８ｃには、「Ｊａｖａ（登録商標）  Ｓｃｒｉｐｔ」のようなスクリプト言語の処理に応じたソフトウェア、マクロメディア社の「Ｆｌａｓｈ（登録商標）  Ｐｌａｙｅｒ」のようなソフトウェア等が用いることが可能である。【００４１】
なお、上述した構成の端末装置２では、サーバ装置１０にアクセスすると、モニタ４の表示画面４ａに複数のサムネイル画像が選択可能に表示される。また、この状態でキーボード５又はマウス６の操作により、いずれかのサムネイル画像が選択されると、端末装置２は、選択されたサムネイル画像を通知する選択信号を通信インタフェース３ｂからサーバ装置１０へ送信する。【００４２】
一方、図３は、第１実施形態で中心的な処理を行うサーバ装置１０の主要な内部構成を示している。サーバ装置１０は、内部バス１０ａを介してＣＰＵ１１、通信インタフェース１２、ＲＡＭ１３、ＲＯＭ１４、及びハードディスク装置１５で接続し、ネットワークＮＷ上にウェブサイトを開設して、そのウェブサイトに係るＵＲＬ宛にアクセスしてきた外部端末にウェブサイトの内容を表示させる処理を行うものである。第１実施形態のサーバ装置１０は、ニュース配信を行うウェブサイトを開設しており、ニュース内容を表したサムネイル画像を外部端末で選択可能に表示し（図４参照）、サムネイル画像が選択されると、サムネイル画像を回転させて情報を配置したサムネイル画像の裏面を表示してから、図８に示すようにサムネイル画像を拡大してニュース文章と共に表示する処理を行う。以下、サーバ装置１０の内部構成について詳説する。【００４３】
通信インタフェース１２は、ネットワークＮＷを経由して外部端末（例えば、端末装置２が相当）と接続する手段に相当し、外部端末からのアクセス及び外部端末で表示されたサムネイル画像の選択信号などを受信すると共に、ＣＰＵ１１の制御に従ってアクセス元の外部端末へ表示用の各種データを送信する処理を行う。また、ＲＡＭ１３は、ＣＰＵ１１が行う処理により生じるデータ及びフォルダ等を一時的に記憶し、ＲＯＭ１４は、ＣＰＵ１１が行う基本的な処理内容を規定したプログラムを予め記憶している。【００４４】
ハードディスク装置１５は、サーバ装置１０を作動させる上で基本となる処理内容を規定したシステムプログラム１６、外部端末でサムネイル画像を含むウェブページを表示させるための処理を規定した表示処理プログラム１７、表示すべきウェブページの内容に応じた多数のデータ２０〜２４などを記憶する手段（記憶手段）に相当する。【００４５】
ハードディスク装置１５に記憶される具体的なデータとしては、ページデータ２０、サムネイル画像データ２１、動的データ２２、サブページデータ２３及び拡大画像データ２４等がある。ページデータ２０は図４に示すウェブページ２５用のページ背景部分２５ａを表すデータであり、サーバ装置１０が開設するウェブサイトのウェブページのページ数に応じた分のデータが存在する。サムネイル画像データ２１は、図４に示すサムネイル画像３０〜４１ごとのデータであり、サムネイル画像３０〜４１がページ背景部分２５ａに選択可能に配置されてウェブページ２５が構成される。なお、サムネイル画像３０〜４１の各サムネイル画像データ２１には、各サムネイル画像を識別できるように識別符号が付されているものとする。【００４６】
動的データ２２は、図５、６に示すサムネイル画像が裏返って情報（広告）が配置された裏面が表示されるようにサムネイル画像の回転を表したデータであり、各サムネイル画像３０〜４１ごとに応じて作成された複数のデータが存在し、各サムネイル画像３０〜４１の識別符号にリンクするように関連付けられている。【００４７】
例えば、図４中の上段の左端のサムネイル画像３０に応じた動的データ２２の内容は、図５（ａ）〜（ｃ）に示すように、サムネイル画像３０が実物の写真のように一枚の紙体のように表されて、画像３０ｃが配置された表面３０ａが表示されている状態（図５（ａ）に示す状態）から仮想の中心軸３０ｂを中心に図中の矢印方向へ回転して、図５（ｂ）（ｃ）に示すようにサムネイル画像３０の回転が進行した状態になる。さらに、動的データ２２は、回転角度が図５（ａ）の状態から９０度を超えると、図６（ａ）（ｂ）に示すようにサムネイル画像３０の裏面３０ｄが現れて、裏面３０ｄに配置した情報である広告３０ｅ（情報に相当）が徐々に見えるようになる。最終的には図６（ｃ）に示すようにサムネイル画像３０が、図５（ａ）の状態から１８０度回転して完全に裏返った状態を表して広告３０ｅが良好に見える状態になる。【００４８】
また、ハードディスク装置１５に記憶されるサブページデータ２３は、図８に示すように、動的データ２２の表示後に、ウェブページ２５に重ねて新たに開かれるサブウェブページ２７の背景部分２７ａに応じたデータであり、このサブウェブページ２７にはニュース記事に相当する文章２７ｂも含んだものになっている。さらに、ハードディスク装置１５に記憶される拡大画像データ２４は、サブウェブページ２７の背景部分２７ａに配置されるサムネイル画像３０の画像部分３０ｃの拡大画像２７ｃに応じたデータである。なお、サブページデータ２３及び拡大画像データ２４も各サムネイル画像３０〜４１ごとにデータが存在し、各サムネイル画像３０〜４１の識別符号に関連付けられている。【００４９】
一方、図３のハードディスク装置１５に記憶される表示処理プログラム１７は、アクセスしてきた外部端末で上述した各データ２０〜２４を適宜表示させるためにＣＰＵ１１が行う処理内容を規定したものであり、以下、その処理内容を説明する。【００５０】
表示処理プログラム１７は、通信インタフェース１２で外部からアクセスを受けると、図４に示すように複数のサムネイル画像３０〜４１を配置したウェブページ２５をアクセス元の外部端末で選択可能に表示させるため、ウェブページ２５に応じたページデータ２０及び配置するサムネイル画像に応じたサムネイル画像データ２１をハードディスク装置１５から読み出して通信インタフェース１２よりアクセス元へ送信する処理内容を規定している。なお、サムネイル画像３０〜４１は表示されると選択可能になると共に、外部端末で選択されると、選択されたサムネイル画像３０〜４１を表す識別符号を含む選択信号が返信されるようになっている。【００５１】
また、表示処理プログラム１７は、外部から選択信号を受信すると、その選択信号に含まれた識別符号を参照して、その識別符号に関連付けられた動的データ２２をアクセス元へ送信する処理内容を規定している。動的データ２２は送信されると選択されたサムネイル画像３０〜４１の箇所に配置されて図５、６に示す内容が外部端末側の表示処理プログラムに従って再生表示される。また、図６（ｃ）に示すように完全に裏返った状態まで再生されると、再生完了信号を返信するためのコマンドが動的データ２２に付随している。【００５２】
さらに、表示処理プログラム１７は、外部から再生完了信号を受信すると、最初に受信した選択信号に含まれる識別符号に関連付けられたサブページデータ２３及び拡大画像データ２４をハードディスク装置１５から読み出してアクセス元へ送信する処理内容を規定している。サブページデータ２３及び拡大画像データ２４は送信されると、図８に示すように拡大画像２７ｃを配置したサブウェブページ２７が、ウェブページ２５を覆うように表示されることになる。なお、サブウェブページ２７の表示が閉じられると、再度ウェブページ２５が表示されるため、この状態でサムネイル画像３０〜４１のいずれか１つが再度選択されると、表示処理プログラム１７は、選択されたサムネイル画像３０〜４１に対して上記と同様な処理を行う。【００５３】
図９の第１フローチャートは、図１のネットワークシステム１で端末装置２（外部端末に相当）がサーバ装置１０へアクセスした場合におけるサムネイル画像の回転表示に係る表示処理方法の処理手順を示したものである。以下、この第１フローチャートに従って、全体的な処理手順を整理して説明する。【００５４】
先ず、端末装置２は、ネットワークＮＷを経由してサーバ装置１０が開設するウェブサイトへアクセスする（Ｓ１）。すると、サーバ装置１０は、ウェブページに応じたデータ（ページデータ２０及びサムネイル画像データ２１）を端末装置２へ送信し（Ｓ２）、端末装置２は図４に示す複数のサムネイル画像３０〜４１を配置したウェブページ２５をモニタ４の画面４ａに表示する（Ｓ３）。この状態で端末装置２は、サムネイル画像が選択されたか否かを判断し（Ｓ４）、サムネイル画像の選択が無い場合（Ｓ４：ＮＯ）、サムネイル画像の選択待ちとなる。【００５５】
一方、キーボード５又はマウス６の操作により、サムネイル画像が選択された場合（Ｓ４：ＹＥＳ）、端末装置２は選択されたサムネイル画像の識別符号を含む選択信号をサーバ装置１０へ送信する（Ｓ５）。サーバ装置１０は、選択信号を受信すると、選択信号に含まれる識別符号に関連付けられた動的データ２２を端末装置２へ送信する（Ｓ６）。端末装置２は、動的データ２２を受信すると、選択されたサムネイル画像の箇所で図５、６に示すような内容を表示してサムネイル画像を回転させ、最終的に図７に示すように選択されたサムネイル画像３０だけを裏面に配置したウェブページ２５を端末側のモニタ４の画面４ａに表示してから（Ｓ７）、再生完了信号をサーバ装置１０へ送信する（Ｓ８）。【００５６】
サーバ装置１０は、再生完了信号を受信すると、選択されたサムネイル画像の拡大表示に応じたデータ（サブページデータ２３及び拡大画像データ２４）を端末装置２へ送信する（Ｓ９）。端末装置２は、送信されてきたデータを表示する処理を行い、図８に示すように拡大画像２７ｃを含むサブウェブページ２７をモニタ４の画面４ａに表示する（Ｓ１０）。このように本発明の第１実施形態では、サムネイル画像３０〜４１が選択されてから拡大画像２７ｃが表示されるまでの間、選択されたサムネイル画像を回転させてサムネイル画像の裏面に配置した広告を表示するため、サムネイル画像の裏面を広告の配置スペースとして活用できる。しかもユーザが選択操作により注視している部分で、サムネイル画像の回転と云う動きによりユーザの視線を惹き付けた状態で広告を表示するため、広告内容が自然とユーザの目に入り、単純に広告を表示する場合に比べて格段に広告のアピール度を向上できる。【００５７】
なお、本発明の第１実施形態は上述した内容に限定されるものではなく、種々の変形例の適用が可能である。例えば、広告を見せる時間を長くするためには、図７に示すようにサムネイル画像３０が完全に裏返って裏面３０ｄを見せている状態で回転を一時停止させることが好適である。このように回転を一時停止させるためには、動的データ２２のデータ自体に、裏面３０ｄまで回転した状態で回転を停止させる内容を予め含ませておくこと、又は、図６（ｃ）に示す状態で表示処理を一時停止させる制御内容を端末装置２側の表示再生プログラム８ｃに含ませることなどが考えられる。【００５８】
また、広告を長くみせるための別の方式としては、サムネイル画像の回転速度を変更させることが考えられる。例えば、図１０（ａ）に示すようにサムネイル画像の表面が表示されている最初の状態（図５（ａ）の状態）を回転角度０度とし、完全に裏返った状態の回転角度を１８０度とした場合（図６（ｃ）の状態）、図５（ａ）〜（ｃ）に示すようにサムネイル画像３０の表面３０ａが表示される角度範囲（０度から９０度）における回転速度を速度Ａにする一方、図６（ａ）〜（ｃ）に示すようにサムネイル画像３０の裏面３０ｄが表れる角度範囲（９０度から１８０度）では速度Ａから回転速度を徐々に低下させるようにしてもよい。このようにすることで、裏面の表示される面積割合が大きくなるにつれて回転速度が減速するため、広告３０ｅが一段と見やすくなる。なお、図１０（ａ）のグラフでは、線形的に回転速度を低下させているが、二次曲線的（上向きに凸又は下向きに凸）に減速させてもよく、また、回転角度が１８０度になるときに、回転速度が「０」になるように減速させてもよい。【００５９】
このように回転速度を減速させるには、動的データ２２における図６（ａ）〜（ｃ）に相当するデータ自体を、回転速度が減速するように作成してもよく、また、別の減速のさせ方としては、端末装置２側で図６（ａ）〜（ｃ）に示す状態の表示処理を行うときは、回転速度が減速するように再生処理を行う制御内容を表示再生プログラム８ｃに含ませることなども考えられる。【００６０】
さらに、広告を多く見せるための方式として、サムネイル画像の裏面を複数回表示するように、サムネイル画像を複数回回転させることが挙げられる。複数回回転させるためには、図５、６に示す内容に、図６（ａ）〜（ｃ）を逆方向に進む内容及び図５（ａ）〜（ｃ）を逆方向に進む内容を加えたものを１回転として、１回転分の内容を複数と、最後の半回転分の内容（図５、６に示す内容）とを合わせたものを変形例の動的データにする。この変形例の動的データを端末装置２で再生表示すると、拡大表示されるまでに、複数回広告が表示されるため、広告のアピール度を更に高められる。なお、複数回回転させる表示を行う別の方式としては、動的データの内容をサムネイル画像が１回転させるものにすると共に、端末装置２で、受信した動的データを表示再生する処理を複数回行うことが考えられる。【００６１】
また、裏面を複数回表示させる場合にも、上述した裏面を表示した状態で回転を一時停止すること、図１０（ｂ）のグラフに示すように裏面の表示される面積割合が大きくなるにつれて回転速度を減速させること（回転角度が１８０度、５４０度などで「０」になることも含む）を組み合わせることも可能である。さらに、裏面を複数回表示させる場合では、動的データ２２の内容を、表示させる裏面ごとに相異する広告を配置したものにしてもよい。例えば、１回目に表示させる裏面３０ｄには図６（ｃ）に示すように「ＡＢＣカメラ社」と云う広告３０ｅを配置し、２回目に表示させる裏面３０ｄには「ＸＹＺフィルム」と云う広告を配置すれば、異なる種類の広告をユーザに見せることが可能になる。【００６２】
また、図５、６に示す動的データにおいて、サムネイル画像３０の裏面３０ｄに配置する広告３０ｅは、文字以外にも記号、数字、イラストのような図（模様、ロゴを含む）、撮像した静止画像、動画などを配置することも可能である。特に、複数回裏面を表示させる場合で、形状、模様などが少しずつ変化する画像を順次配置した場合は、回転により裏面を順次見せることでパラパラ漫画的な表示を行える。裏面３０ｄに配置する情報には、広告以外の他の種類の情報、例えば、サムネイル画像の著作者、撮像日時などを示す著作権情報、サムネイル画像のデータに関するプロパティ（ファイル名、データ容量、データ作成日、記憶フォルダ）などを適用してもよい。【００６３】
図１１は、本発明の第２実施形態に係るサーバ装置５０の内部構成を示すブロック図である。第２実施形態のサーバ装置５０も第１実施形態と同様に、図１に示すようなネットワークＮＷと接続されて外部端末（例えば、端末装置２が相当）にサムネイル画像、回転する状態のサムネイル画像、及びサムネイル画像の拡大画像などに応じたウェブページを表示させる処理を行うものである。第２実施形態では、回転する状態のサムネイル画像を表示する際、動的データに広告を含ませるのではなく、サムネイル画像の裏面を表示させてから、別データで形成される広告（情報）を裏面に配置する処理を行うことを特徴としている。なお、以下の第２実施形態の説明では、第１実施形態と一部、同一の符号を用いている。【００６４】
図１１に示すように、サーバ装置５０のハードディスク装置５５に記憶されるデータには、動的データ６２以外に広告データ６３が含まれている。動的データ６２の内容は、基本的に第１実施形態と同様であるが、図１２（ａ）〜（ｃ）に示すようにサムネイル画像３０の裏面３０ｄには広告が配置されていないこと、別データである広告３０ｄを配置する箇所を表す配置用リンクデータが付されていること、広告３０ｅが配置されると配置完了信号を返すコマンドデータが付されていること等が相違点として挙げられる。なお、動的データ６２は、サムネイル画像３０の表面３０ａを見せる状態から裏面３０ｄが見えるまでの内容については、第１実施形態の図５（ａ）〜（ｃ）に示す状態と同じになっている。【００６５】
また、広告データ６３は、図１２（ｄ）に示すようにサムネイル画像３０の裏面３０ｄに配置可能な広告内容に応じたデータであり、表示処理が行われることで広告（ＡＢＣカメラ社）３０ｅが表示される。なお、広告データ６３には、多数の種類が存在し、表示処理プログラム５７の処理により表示させる各広告が適宜選択される。【００６６】
ハードディスク装置５５に記憶される表示処理プログラム５７の処理内容も基本的に第１実施形態と同様であるが、相異する点としては、広告データ６３の種類を選択する処理があること、動的データ６２と、サムページデータ６４及び拡大画像データ６５とを送信する間に、再生完了信号の受信に応じて広告データ６３を送信すること等が挙げられる。【００６７】
図１３は、サーバ装置５０の管理時に用いられる広告配置メニュー６６の内容を示している。広告配置メニュー６６は、サーバ装置５０の管理者用であり、サーバ装置５０に接続されるモニタ（図示せず）に表示されて、ハードディスク装置５５に登録（記憶）されている複数の広告データを、ハードディスク装置５５に登録（記憶）されている複数のサムネイル画像のいずれに割り当てるかを設定する内容になっている。【００６８】
例えば、ｎ個の広告データとＮ個のサムネイル画像がハードディスク装置５５に登録されている場合（ｎ、Ｎは自然数）、広告配置メニュー６６では第１広告データを「第１〜第Ｎサムネイル画像のいずれか」、「全てのサムネイル画像」、「配置なし」から選択できるようになっており、以降、第ｎ広告データまで、配置対象のサムネイル画像を選択できるようになっている。但し、広告配置メニュー６６では、先に選択されたサムネイル画像が、別の広告データでは重複して選択できないようになっており、例えば、第１広告データに対して第１サムネイル画像が選択された場合は、第２広告データの選択時において第１サムネイル画像は選択対象から外されるようにして、重複選択を防止している。なお、図４に示すようにサムネイル画像３０〜４１を表示する場合、１２個の第１サムネイル画像から第１２サムネイル画像が必要となり、さらに、それぞれのサムネイル画像３０〜４１に異なる広告を配置する場合は、１２個の広告データが必要となる。【００６９】
上述した箇所以外、第２実施形態のサーバ装置５０のハードディスク装置５５に記憶されるシステムプログラム５６及びデータ等は第１実施形態と同様であり、ＣＰＵ５１、通信インタフェース５２、ＲＡＭ５２、ＲＯＭ５４等の構成及び機能等も第１実施形態と同様であるため説明を省略する。また、サーバ装置５０にネットワークを介して接続される外部端末（端末装置）も基本的に第１実施形態と同様であるため説明を省略する。【００７０】
図１４に示す第２フローチャートは、第２実施形態のサーバ装置５０に関連した表示処理方法を示し、端末装置２が選択信号を送信した以降の処理を表している。なお、選択信号を送信する以前の処理は、図９の第１フローチャート（Ｓ１〜Ｓ４）と同様である。第２フローチャートに基づき処理手順を説明すると、端末装置２が選択信号を送信すると（Ｓ２０）、サーバ装置５０は、選択信号に含まれる識別符号に関連付けられた動的データ６２を端末装置２へ送信する（Ｓ２１）。端末装置２は、動的データ６２を受信すると、選択されたサムネイル画像の箇所で図５（ａ）〜（ｃ）及び図１２（ａ）〜（ｃ）に示すような内容を表示してサムネイル画像を回転させ裏面を表示し（Ｓ２２）、それから再生完了信号をサーバ装置１０へ送信する（Ｓ２３）。【００７１】
サーバ装置５０は、再生完了信号を受信すると、図１３に示す広告配置メニュー６６で予め設定された内容に従って、選択に係るサムネイル画像（第１サムネイル画像から第Ｎサムネイル画像のいずれか）に対応する広告データ（第１広告データから第ｎ広告データのいずれか）を特定し、その特定した広告データ６３を端末装置２へ送信する（Ｓ２４）。端末装置２では、広告データ６３を受信すると、図１２（ｄ）に示すように、サムネイル画像７０の裏面３０ｄのリンクが規定された箇所に広告３０ｅを配置して表示する（Ｓ２５）。なお、この状態では端末装置２のモニタ４には図７に示すようなウェブページ２５が表示される。その後、端末装置２は配置完了信号をサーバ装置５０へ送信する（Ｓ２６）。【００７２】
サーバ装置５０は、配置完了信号を受信すると、選択されたサムネイル画像の拡大表示に応じたデータ（サブページデータ６４及び拡大画像データ６５）を端末装置２へ送信する（Ｓ２７）。端末装置２は、送信されてきたデータを表示する処理を行い、第１実施形態と同様に（図８参照）拡大画像を含むサブウェブページ２７を表示する（Ｓ１０）。このように第２実施形態では、図１３の広告配置メニュー６６で表示する広告の内容を自由に設定できるため、広告を臨機応変に変更可能となり、広告ごとに動的データ６３を作成する負担が低減される。【００７３】
なお、第２実施形態でも、各種変形例が存在し、例えば、図１４の第２フローチャートで、サーバ装置５０は、動的データを送信する際に、広告データも一緒に送信しておき、端末装置２側で広告データを一時保管しておいて、動的データの再生が完了してから、続いて、一時保管していた広告データを用いて広告配置処理を行ってもよい（この変形例では、再生完了信号の送信が省略可能となる）。【００７４】
また、第２実施形態でも、第１実施形態で述べた各種変形例の適用が可能である。特に、図１２（ｃ）に示すサムネイル画像３０の裏面３０ｄを表示した状態で回転を一時停止することを行うと、広告３０ｄを配置して表示する時間が長くなるため好適である。さらに、サムネイル画像３０を複数回回転させる場合で、裏面を表示するごとに配置する広告を相異させるときは、図１５に示すような変形例の広告配置メニュー６７を用いることが好ましい。即ち、変形例の広告配置メニュー６７は、計２回裏面を表示させる場合に対応したものであり、第１〜第Ｎサムネイル画像ごとに１回目に裏面が表示される際に配置する広告データを選択する第１選択欄６７１ａ〜６７１ｎ、及び２回目に裏面が表示される際に配置する広告データを選択する第２選択欄６７２ａ〜６７２ｎを設けており、各選択欄で配置する広告データ（第１〜第ｎ広告データ）の選択を設定しておくことで、裏面が表示されるごとに相異する広告を配置可能となる。【００７５】
なお、裏面を表示するごとに異なる広告を表示するためには、サーバ装置５０が動的データ６３を端末装置２へ送信する際に複数回分のデータを送信しておき、端末装置２では受信した複数回分の動的データ６３をＲＡＭ３ｂに一時的に記憶し、裏面の表示ごとに設定された広告に応じた広告データを読み出して配置する処理を行うことで対応する。また、閲覧するユーザの年齢層が時間帯ごとに変化することに対応する場合は、時間帯ごとに配置する広告データを設定できるように広告配置メニュー６６、６７の仕様を変更することも可能である。【００７６】
図１６（ａ）は、本発明の第３実施形態に係る表示処理装置８０を示している。第３実施形態の表示処理装置８０は、ＰＤＡのような携帯可能な小型情報処理装置であり、第１実施形態のようにネットワークに接続してウェブサイトの内容を表示する場合ではなく、スタンドアロンでの使用時において、複数のサムネイル画像９０〜９８を装置筐体８１に設けた表示部８２に選択可能に表示した際、いずれか１つを選択した場合、拡大画像を表示するまでの間に選択されたサムネイル画像の回転表示を行うことを特徴としている。【００７７】
図１７は、第３実施形態の表示処理装置８０の主要な内部構成を示している。表示処理装置８０は、ＣＰＵ８０ａ、データ及びフォルダ等を一時的に記憶するＲＡＭ８０ｂ、基本処理内容を規定したプログラム等を記憶するＲＯＭ８０ｃ、表示部８２、上下左右キー及び決定キー等から構成される操作部８３、並びに内蔵記憶媒体８０ｄを内部バス８０ｆで接続している。なお、操作部８３はユーザからの各種操作を受け付ける手段として機能し、サムネイル画像の表示状態では、サムネイル画像の選択操作を受け付ける。【００７８】
内蔵記憶媒体８０ｄは、半導体メモリ、ハードディスク装置などを適用することが可能であり、ＯＳプログラム８４、表示処理プログラム８５及び各種データ８６〜８８等を記憶する手段（記憶手段）に相当している。また、内部記憶媒体８０ｄに記憶されるデータには、図１６（ａ）に示すように複数のサムネイル画像９０〜９８を表すサムネイル画像データ８６、サムネイル画像が裏返って情報（広告）が配置された裏面が表示されるようにサムネイル画像の回転を表したデータである動的データ８７、サムネイル画像を拡大した内容を表した拡大表示データ８８等を記憶している。なお、サムネイル画像データ８８ａ、動的データ８８ｂ及び拡大表示データ８８ｃは、サムネイル画像の数に応じたデータが存在する。【００７９】
サムネイル画像データ８６、動的データ８７、及び拡大表示データ８８は、第１実施形態と略同等の仕様になっている。特に、動的データ８６は、図１６（ｂ）に示すように、サムネイル画像９２が表面９２ａを表示した状態から、仮想の回転軸９２ｂを回転中心にして、第１実施形態の図５、６と同様に回転する内容を含んでおり、最終的に図１６（ｂ）に示すように、サムネイル画像９２が裏返って「ＸＹＺフィルム」と云う広告９２ｅを配置した裏面９２ｄを見せるまで回転する内容になっている。【００８０】
また、内蔵記憶媒体８５に記憶される表示処理プログラム８５は、サムネイル画像表示に対してＣＰＵ８０ａが行う処理内容を規定しており、詳しくは操作部８３でユーザから受け付ける操作内容に応じて種々の内容を定めている。例えば、表示処理プログラム８５は、操作部８３でサムネイル表示の指示を受け付けると、内蔵記憶媒体８５からサムネイル画像データ８６を読み出して、図１６（ａ）に示すように複数のサムネイル画像９０〜９８を表示部８２に表示させる処理を規定している。また、サムネイル画像９０〜９８の表示状態で、操作部８３の操作によりいずれか１つのサムネイル画像が選択されると、その選択されたサムネイル画像に係る識別符号を参照して、対応する動的データ８７を読み出して、選択されたサムネイル画像の箇所でサムネイル画像を回転させる再生処理を行うことを表示処理プログラム８５は規定している。さらに、表示処理プログラム８５は、再生処理が終了すると、選択されたサムネイル画像に対応する拡大画像データ８８ｃを読み出して、表示部８２に拡大画像を表示する処理を規定している。【００８１】
図１８は、上述した第３実施形態の表示処理装置８０がサムネイル画像の表示に対して行う処理内容（表示処理方法）の手順を示した第３フローチャートである。以下、この第３フローチャートに従って、表示処理装置８０が行う表示処理方法の内容を説明する。【００８２】
先ず、表示処理装置８０は、ユーザからのサムネイル画像表示の指示に従い、図１６（ａ）に示すように複数のサムネイル画像９０〜９８を表示する処理を行う（Ｓ３０）。この状態で、表示処理装置８０（ＣＰＵ８０ａ）は、ユーザからサムネイル画像の選択を操作部８３で受け付けたか否かを判断し（Ｓ３１）、サムネイル画像が選択されていない場合（Ｓ３１：ＮＯ）、選択待ちの状態になる。【００８３】
一方、サムネイル画像が選択された場合（Ｓ３１：ＹＥＳ）、選択されたサムネイル画像に応じた動的データ８７の再生処理を行って、図１６（ｂ）から図１６（ｃ）に示すようにサムネイル画像９２を回転させて広告９２を配置した裏面を表示し（Ｓ３２）、それから拡大画像データ８８を読み出して表示部８２にサムネイル画像９２の拡大画像を表示する（Ｓ３３）。このように、内部に記憶するサムネイル画像を表示する場合でも、選択されてから拡大表示するまでの間にサムネイル画像を回転させて広告を配置した裏面を表示するので、印象深くユーザに広告を見せることが可能になる。【００８４】
なお、第３実施形態においても、第１実施形態で説明した各種変形例の適用が可能である。特に、第３実施形態では、スタンドアロンの環境で表示処理装置８０が独立して処理を行うため、図１６（ｃ）に示す裏面９２ｄを表示した状態で回転を一時停止する処理、裏面９２ｄの表示割合が大きくなるにつれて減速させる処理を、表示処理プログラム８５の内容で制御しやすくなるので、動的データ８７の作り込み以外で様々な表示形態を容易に実現できる。さらに、複数回の回転を行う場合も、動的データ８７の内容をサムネイル画像が１回転する内容にしておくと共に、表示処理プログラム８５で動的データ８７を連続的に複数回再生することで対応できる。なお、回転の一時停止、回転の減速、複数回回転に関しては、動的データのデータ自体の内容の作り込みで対応することも第１実施形態と同様、勿論可能である。【００８５】
図１９は、本発明の第４実施形態に係る表示処理装置９０の主要な内部構成を示すブロック図である。第４実施形態の表示処理装置９０は、第３実施形態と同様にスタンドアロンでの使用時にサムネイル画像の回転表示を行うものであり、回転により表示される裏面に配置する広告（情報）に対する処理を、上述した第２実施形態と同様の方式で行うことを特徴にしている。そのため、表示処理装置９０の基本的なハード構成は図１７に示す第３実施形態の内容と同等であり、ＣＰＵ９０ａ、ＲＡＭ９０ｂ、ＲＯＭ９０ｃ、表示部９２、操作部９３、及び内蔵記憶媒体９０ｄを内部バス９０ｆで接続し、内蔵記憶媒体９０ｄにＯＳプログラム９４、表示処理プログラム９５、サムネイル画像データ９６、動的データ９７、広告データ９８、拡大画像データ９９を記憶させている。【００８６】
第４実施形態では、第２実施形態と同様に広告を配置する処理を行うため、動的データ９７及び広告データ９８は第２実施形態と同様の仕様になっている。表示処理プログラム９５も第３実施形態と一部異なる内容を規定しており、動的データ９７の再生表示処理が終了してサムネイル画像の裏面が表示されると、その裏面に広告データ９８に応じた広告を配置し、それから拡大画像データ９９に応じたサムネイル画像の拡大画像を表示部９２に表示する処理を規定したものになっている。【００８７】
図２０は、第４実施形態の処理内容（表示処理方法）を規定した第４フローチャートであり、基本的な流れは図１８の第３フローチャートと同様である。即ち、表示処理装置９０は、ユーザからのサムネイル画像表示の指示に従って複数のサムネイル画像を表示する処理を行い（Ｓ４０）、ユーザからサムネイル画像の選択を操作部９３で受け付けたか否かを判断し（Ｓ４１）、サムネイル画像が選択されていない場合（Ｓ４１：ＮＯ）、選択待ちの状態になり、選択された場合（Ｓ４１：ＹＥＳ）、選択されたサムネイル画像に応じた動的データ９７の再生処理を行い、サムネイル画像を回転させて裏面を表示する（Ｓ４２）。それから、表示処理装置９０は、広告データ９８を読み出して、広告をサムネイル画像の裏面に配置してから（Ｓ４３）、拡大画像データ９９を読み出して、拡大画像を表示する（Ｓ４４）。【００８８】
このように第４実施形態では、動的データ９７とは別に、広告データ９８を準備して、広告の表示に係る処理を行うので、表示すべき広告を容易に入れ替えることができる。なお、第４実施形態でも、第１実施形態で説明した各種変形例の適用が可能であり、また、第３実施形態でも述べた回転の一時停止及び回転の減速に係る制御内容を表示処理プログラム９５の規定内容に基づいて実行することも可能である。さらに、第４実施形態でも、第２実施形態で示した図１３の広告配置メニュー６６、図１５の広告配置メニュー６７などを用いて、サムネイル画像の裏面に配置する広告を容易に設定可能にしてもよい。
【産業上の利用可能性】
【００８９】
サムネイル画像を拡大表示する際、サムネイル画像を回転させて裏面を表示し、その裏面に広告のような情報を載置表示するので、ユーザの注目度が高い新たな情報配置スペースを設けることが可能となり、また、このような表示形態は、ネットワーク環境で使用される表示処理装置及びスタンドアロンの表示処理装置の両方に適用できる。
【図１】
0004560554.tif 000002
【図２】
0004560554.tif 000003
【図３】
0004560554.tif 000004
【図４】
0004560554.tif 000005
【図５】
0004560554.tif 000006
【図６】
0004560554.tif 000007
【図７】
0004560554.tif 000008
【図８】
0004560554.tif 000009
【図９】
0004560554.tif 000010
【図１０】
0004560554.tif 000011
【図１１】
0004560554.tif 000012
【図１２】
0004560554.tif 000013
【図１３】
0004560554.tif 000014
【図１４】
0004560554.tif 000015
【図１５】
0004560554.tif 000016
【図１６】
0004560554.tif 000017
【図１７】
0004560554.tif 000018
【図１８】
0004560554.tif 000019
【図１９】
0004560554.tif 000020
【図２０】
0004560554.tif 000021